(57)【特許請求の範囲】
【請求項１】
筒状容器の方形の四隅を角取りして平坦な隅角壁を形成した略八角形筒状容器の胴部側壁の中間部に凹溝状をした補強用のリブを周設した多角形状の合成樹脂容器に於いて、前記側壁のウエスト部に横方向に形成された前記補強用リブの凹溝は、側壁の中央部から漸次深く形成されて、その両端部は傾斜面となって隅角部の平坦面に接して消滅するように形成されていることを特徴とする合成樹脂製角形中空容器。
【請求項２】
前記筒状容器の方形の四隅を角取りして形成した隅角部の平坦面を、側壁のウエスト部に横方向に設けられた補強用リブの端部に連接せしめると共に、縦方向に連続した平面に形成して、該平坦面の上端部を容器の肩部を経て口頸部の根元に収斂させるように形成してなることを特徴とする請求項１に記載する合成樹脂製角形中空容器。
【請求項３】
前記多角形筒状容器の胴部側壁の中間ウエスト部に周設した補強用リブを挟んだ上下部分の各側壁に、船底状の内圧吸収パネルを矩形状に形成してなることを特徴とする請求項１に記載する合成樹脂製角形中空容器。
【発明の詳細な説明】
【０００１】
【産業上の利用分野】
本発明は、熱可塑性合成樹脂を二軸延伸ブロー成形した筒状の中空容器に関するもので、中でも、容器内に内容物を高温加熱殺菌して充填したり、容器内に内容物を充填してから加熱殺菌するのに適した多角形状の中空容器に関するものである。
【０００２】
【従来の技術】
近年、ジュース等の果汁や清涼飲料水その他の飲料品等の高温加熱殺菌を必要とする内容物を充填する容器としては、ポリエチレンテレフタレート（ＰＥＴ）樹脂を二軸延伸ブロー成形した中空容器が広範に多用されている。
ところが、上記ＰＥＴ容器は、通常の二軸延伸ブロー成形法では成形時に内部残留応力が発生して、高温加熱充填時や高温加熱殺菌時に熱変形を生じ易いので、それを防ぐ為に成形過程でヒートセットを行う工程を設けておいて、熱と残留応力による容器の変形を防止することが図られている。
また、上記のような高温加熱充填を行うと充填後に冷却された容器内が減圧状態となり、また、高温加熱殺菌を行う際には容器内が一時加圧状態となり、容器壁に圧力が加わって容器が変形する。
そこで、このような容器の変形を防止する手段として、一般的には、容器の側壁面に帯状の凹凸を形成した補強リブを周設したり、内部圧力の変化を吸収緩和する変形可能な壁部（パネル壁）を設けて、側壁の他の部分に変形を生じて容器の外観が損なわれることがないようにしている。
【０００３】
上記のような構造をした公知例としては、例えば、以下のようなものがある。
外形が大略角柱状をした中空容器に於いて、側壁に剛性を持たせるために、該容器の胴部中程の壁面をバンド状に膨出させたリブとへこませた周溝とを交互に設けた横方向の補強リブ部を形成すると共に、該補強リブ部分を挟んだ上下の壁面を外方へ膨出させた内圧変化吸収壁（パネル壁）部を形成したものは、実開昭５８−１６１８１７号公報に見ることができる。
また、断面が長方形状の中空容器の胴部の幅広の前壁と後壁には略正方形の凹部を、幅狭の側壁には略長方形の凹部を、それぞれ縦に二個づつ形成してパネル壁部を形成し、前記幅広壁面の正方形の凹部の外周部には補強用の突条と溝条を設けると共に、該上方側の凹部の底壁中央部に横方向に補強用の突条を設けたものが、実開昭６４−４６６２号公報に記載されている。
【０００４】
同じく、断面が正方形の角部を少しく切除した八角柱状形の中空容器において、胴部中程の壁面に周設した溝条の補強リブを挟んで上下にパネル壁を設けると共に、該溝条の深さを隅角部から中央部に至るに従って深く形成して、容器の全周壁の強度を均一に高めるようにしたものが、実開平１−１６１４２８号公報に記載されている。
更に、断面が長方形の四隅を角取りした筒状角形容器の胴部のほぼ中間部（ウエスト部）に周溝状にリブを形成した壜体において、パネル壁部における前記リブの深さを、隅角部におけるよりも深く形成して、パネル壁部における前記リブが隅角部における前記リブより壜体内方へ段差状に形成して、容器壁の剛性を高めて壁厚を薄くすることを可能としたものが、実開平５−９４１１２号公報に記載されている。
【０００５】
しかし、このような従来の筒状角形容器の共通した点は、図７、図８に示すように容器胴部の中間ウエスト部に形成する補強リブ７の凹溝が、側壁面だでなく隅角壁６面にも補強リブ７ａとして凹溝が形成されて、側壁面の凹溝と連続した均質一体の凹溝が周設された構造をしたものである。
そして、一般論として、このような構造をした容器は、側壁面に横方向から加えられる力に対しては抵抗力があり、ある程度の強度を有しているが、隅角壁６面に矢印のように加えられる強い力に対しては抵抗力が弱くて、図９に示すように容器ウエスト部の横断面が菱形に変形し易く、また、容器に上下方向の強い力が加えられた場合には、ウエスト部に形成した補強リブ７の凹溝部分で座屈変形を生じ易いという欠点がある。
【０００６】
【発明が解決使用とする課題】
中空容器の形状としては種々のものが用いられているが、一般的には断面が円形または四角形をした筒状の壜形容器が多用されており、形状が円筒形をなしたものは、その胴部壁面がどの部分に於いても中心軸線から等しい距離にあるので、ブロー成形を行う際に壁面が均一に延伸され易く、その結果、容器の形状および強度が安定である。
しかし、形状が四角形又は多角形をなしたものは、その胴部壁面は中心軸線からの距離が部所によって異なるため、ブロー成形を行う際に壁面全体が均一に延伸され難く、従って、壁面の位置によって延伸量が異なって、内部残留応力も場所によって異なった大きさを有するので、ヒートセット加工して製品となった後も容器の変形原因となり、容器の形状および強度の不安定要因となっている。
【０００７】
ところが、最近、製品の差別化を求めて、容器の意匠面上の観点を重視した略四角柱状ないしは八角柱状の形状をした合成樹脂製中空容器が使用されるようになってきており、本発明は、このような要望に答えるために、意匠的に優れた外観を備えると共に、熱変化に伴って発生する容器内の圧力変化を吸収する壁部と外力に耐え得る補強壁部とを容器壁面に備えた多角形状の中空容器を提供することを目的としたものである。
しかし、前記実開平１−１６１４２８号公報や実開平５−９４１１２号公報に記載されたような多角形の柱状した中空容器は、容器の側壁部に正面から作用する外力に対してはある程度の耐圧強度を有するが、隅角部の壁面に縦軸直角方向に作用する外力に対しては弱く、菱形状に変形し易くて、特に隅角部の溝状リブ面に加えられる強い力に対してはベコベコと音を発して変形し、また、容器を積み重ねた状態での輸送中、その他の縦方向の圧縮加重に対しては胴部に周設するリブ部分で座屈変形を生じ易いという欠点があるので、この欠点をなくすことが必要であった。
【０００８】
【課題を解決するための手段】
本発明は、基本的には容器の断面が四角形をした筒形の隅角部分を、側面部分に比べて狭い平坦面になるように切除して八角形状にした中空容器に於いて、容器内の圧力の変化を吸収するために、容器の平坦な側壁部に矩形状に凹溝で囲んだ壁部を形成し、該壁部のほぼ中心部に縦方向に両端が前記凹溝に達しない程度に船底状の底陵線を形成すると共に、該底陵線の端部からＶ状に延びて、前記矩形状の凹溝の隅部に達する一対の傾斜稜線を形成した圧力に対して変形可能な窪みを有するパネル壁部を設ける。
また、外力に耐え得る容器の構造とするために、容器の側壁中央部分（ウエスト部）に横方向に設けた補強リブの溝条を、前記隅角部の平坦面には形成せずに各壁面に独立した補強リブとなして、隅角部の平坦面により対角線方向及び縦方向の外力による側壁部の変形を防止する。
更に、衝撃を一番受け易い容器の底部を、外周寄りの接地部分は曲率の大きな凸状曲面となし、中央部は多段状に曲率が変化した内方に反転湾曲形成して強度を持たせたものとする。
【０００９】
本願の発明を、一つの実施例に基づいて、図面を参照しつつ以下に説明する。図１及び図２は、本発明のポリエチレンテレフタレート（ＰＥＴ）樹脂を二軸延伸ブロー成形した角形柱状中空容器、詳しくは、容器胴壁部の断面が略八角形状をした壜体をしめすものである。
壜体１の胴部の基本形は、前後壁２，３及び左右の側壁４，５からなる主壁で四角柱状に構成され、且つ、断面が図３乃至５に示すように、正方形の四隅を角取りした平坦な隅角壁６に形成されており、該胴部側壁の中間部には凹溝状をした補強用リブ７が周設されている。
そして、前記補強用リブ７は、図１，２に示すように、側壁のウエスト部に横方向に一直線状に凹溝が形成されたものであるが、図１及び図５からもわかるように、その凹溝は胴壁の中央部から漸次深くなるように形成されて、その両端部は隅角部に向け傾斜して浅くなって隅角部６の平坦面で消滅するように形成されている。
即ち、前記補強用リブ７は、隅角部６に於いては凹溝が途切れて不連続状態になるように容器側壁に周設されているので、隅角部の平坦面は、補強リブの溝部分で途切れることなく上下方向に連続した面に形成されていて、隅角平坦面の上端部は方部１２を経て口頸部１５の根元に収束しており、下端は底部１３の湾曲面に達している。
【００１０】
また、前記胴部の各側壁には、ウエスト部の補強用リブ７を挟んだ上下の位置に、それぞれ内圧の変化を吸収するためのパネル壁１０が設けられており、該パネル壁は側壁の平坦部分を矩形状に凹溝９で囲んで形成され、且つ、矩形の中心に形成した船底状の底陵線８の両端からＶ字状に矩形状凹溝９の隅部に達する一対の傾斜稜線８ａが形成された圧力変形が可能な窪み壁に形成されている。
更に、容器側壁には、ウエスト部に形成した補強用リブ７を挟んだパネル壁８の上部と下部の位置、即ち、容器の肩部１２寄りと底部１３寄りの側壁部に、パネル壁１０の矩形辺の横方向と同等の長さのリブ１１を一文字状に形成して補強されている。
角形容器の底部は、ブロー成形する際に均一な延伸作用を最も受け難い部分であり、即ち、延伸量が少なくて、強度が小さくなりがちであるが、底部ほど衝撃力を一番受けるので、該底部壁１３は、外周寄りの接地部分を曲率の大きな凸状曲面となし、中央寄りを多段状に曲率を変えて内方に反転湾曲した壁１４に形成して強度を持たせている。
【００１１】
以上のように、本願の発明は、断面が八角形をした柱状の中空容器に於いて、側壁のウエスト部に設けた補強用リブ７の凹溝が図２、図５に示すように、隅角部６の平坦面には形成されず、段差もなく平らにしたので、隅角部６の平坦面に容器を菱形に変形するように作用する対角方向の力に対して強くなると共に、容器の上下方向からの圧縮力に対しても強くなって、座屈しにくくなる。
また、隅角部の八ヶ所の角部が、最も深いウエスト部段差となるようにし、隅角部の谷部は曲面で構成したので、容器の胴部にラベルを貼着する際に、ウエスト部迄のラベルの固着をスムーズに、且つ、確実に行うことができる。
更に、容器の主たる四側面の大きな平面部のウエスト谷部を、隅角面に滑らかに接する大きな曲面の形状としたので、容器の成形性が良くて、強度が向上した形状とすることができた。
尚、本発明は、基本形が正方形または方形に限るものではなく、五角形や六角形その他の多角形であってもよいことは言うまでもない。
【００１２】
【発明の効果】
本願の発明は、断面が方形の四隅を角取りした隅角部に平坦な壁を形成した多角形状中空容器の胴部側壁の中間部のウエスト部に周設した凹溝状の補強用のリブ７は、側壁に横方向に一直線状に形成すると共に、前記凹溝は中央部で深く形成されて、両端部で浅くなって隅角部６の平坦面で消滅するように形成しているので、隅角部の平坦面は、ウエスト部で補強リブの溝部分で中断されることなくも、上下方向に連続した面に形成したので、隅角平坦面に対角線方向の強い力が加えられても、菱形状に変形しにくく、また、容器に対する上下方向の圧縮力に対しても強い対抗力を有する壜体を得ることができる。
【図面の簡単な説明】
【図１】本発明の全体正面図である。
【図２】正面から４５度ずらした本発明の隅角面を示す全体側面図である。
【図３】図１に於けるＡ−Ａ断面図である。
【図４】図１に於けるＣ−Ｃ断面図である。
【図５】図１に於けるＢ−Ｂ断面図である。
【図６】本発明の容器の底面図である。
【図７】正面から４５度ずらした従来の容器の隅角面を示す全体側面図である。
【図８】図７に於けるＢ'−Ｂ'断面図である。
【図９】隅角面に外力を受けて変形した従来の容器のＢ'−Ｂ'断面図である。
【符号の説明】
１    容器本体
２    正面側壁
３    後面側壁
４    左側壁
５    右側壁
６    隅角壁
７    溝状補強リブ
８    パネル壁底稜線
９    パネル壁凹溝
１０  パネル壁
１１  補強リブ
１２  容器肩部
１３  容器底部
１４  容器底部凹壁
１５  容器口頸部
【図１】
0003772230.tif 000002
【図２】
0003772230.tif 000003
【図３】
0003772230.tif 000004
【図４】
0003772230.tif 000005
【図５】
0003772230.tif 000006
【図６】
0003772230.tif 000007
【図７】
0003772230.tif 000008
【図８】
0003772230.tif 000009
【図９】
0003772230.tif 000010